(57)【要約】【課題】  釣針にかかった魚を水中から確実に掬い上げることができる玉網を提供すること。【解決手段】  本発明は、釣針にかかった魚まで釣糸を介して落下させ、魚を水中から掬い上げる玉網を、筒状で側面にチャック５を備えた網本体３と、網本体３の上部に取り付けられた浮力と弾性力とを備えた上部枠体４と、網本体３の下部に丸環１２を介して取り付けられた弾性力と水中を沈降していく重さとを備えた下部枠体６と、下部枠体６の一端部に結び付けられたロープ８などから構成し、ロープ８が引かれると下部枠体６の取付具１６の連結が解除され袋状に形成されるように玉網を構成した。  これにより、釣針に魚がかかったら玉網２を釣糸３２に沿って魚まで落下させ、ロープ８を引くと玉網２が反転して、魚を容易に掬い上げることができる。【選択図】図１
2006025739.tif 000002
【特許請求の範囲】
【請求項１】
釣糸を介して落下させ、釣針にかかった魚を水中で掬い上げる玉網において、
網本体の上端に浮力を有する上部枠体を取り付け、下端に複数の環状取付具を取り付け、該環状取付具内に移動可能に、かつ抜けることなく下部枠体を通し、かつ左右端縁に該左右端縁相互を線状に結合する線状結合手段を有し、
上部枠体の両端に該両端相互を連結する取付具を設け、該取付具相互を連結して該上部枠体を環状に保持可能とし、
下部枠体の一端部にロープを取り付け、更に両端に該両端相互を連結する取付具を連結解除を可能に設け、該取付具相互を連結して該下部枠体を環状に保持可能とし、前記環状取付具とともに水中を沈降するように形成し、更に前記ロープを引張して該下部枠体の取付具の連結を解除可能としたことを特徴とする筒状玉網。
【発明の詳細な説明】
【技術分野】
【０００１】
本発明は、釣針にかかった魚まで釣糸を介して落下させ、魚を水中から掬い上げる玉網に関する。
【背景技術】
【０００２】
投げつりでは、釣針にかかった魚を水面下までリールを巻いて引き寄せ、玉網で魚を水中から掬い上げている。ところが、魚の位置まで玉網が届かない場合や足場が悪く玉網で掬えないことがある。そして掬い上げる前に釣糸が切られたり、魚が釣り釣針から外れて逃げられてしまい悔しい思いをすることがある。
【０００３】
そこで、釣糸に沿って円筒状の玉網を魚まで落下させ、釣針にかかった魚を玉網で被せ、玉網をロープで引き上げて魚を掬い上げる方法が知られている。
【０００４】
【特許文献１】実開昭５５−４５７７６号公報
【発明の開示】
【発明が解決しようとする課題】
【０００５】
しかしながら上記公報に記載の玉網は袋状で、釣竿を通すチャックを上部に備え、釣針に魚がかかるとチャックを開けて釣竿を竿尻から通し、釣竿全体を通して釣糸に沿って魚まで落下させるようにしていた。そのため、魚がかかった状態で玉網の中に釣竿を通すことから、取り付けに手間がかかっていた。また、水面近くでしか使用できなかったり、玉網の開口部が水中で十分に開かず、水中で玉網の内部に魚を引き込むことができないことがあった。
【０００６】
本発明は、釣針にかかった魚を水中から確実に掬い上げることができる玉網を提供することを目的とする。
【課題を解決するための手段】
【０００７】
本発明は、上記課題を解決し、釣針にかった魚を水中から確実に掬い上げることができる玉網を次のように構成した。
【０００８】
網本体の上端に浮力を有する上部枠体を取り付け、下端に複数の環状取付具を取り付け、該環状取付具内に移動可能に、かつ抜けることなく下部枠体を通し、かつ左右端縁に該左右端縁相互を線状に結合する線状結合手段を有し、上部枠体の両端に該両端相互を連結する取付具を設け、該取付具相互を連結して該上部枠体を環状に保持可能とし、下部枠体の一端部にロープを取り付け、更に両端に該両端相互を連結する取付具を連結解除を可能に設け、該取付具相互を連結して該下部枠体を環状に保持可能とし、前記環状取付具とともに水中を沈降するように形成し、更に前記ロープを引張して該下部枠体の取付具の連結を解除可能として筒状玉網を構成した。
【発明の効果】
【０００９】
本発明の筒状玉網は、網本体を釣糸に巻きつけるようにしてチャックなどの線状結合手段を閉じ、上下それぞれの枠体の取付具を連結することにより、簡単に釣糸の周囲に筒状の玉網を形成し、取り付けることができる。
【００１０】
上部枠体と下部枠体はともに環状に形成され、また下部枠体側を下部にして筒状玉網を水中に沈降し、上部枠体は浮力を備えて浮こうとするので、水中で筒状を保持したまま釣糸に沿って筒状玉網が沈降し、魚を筒状玉網に容易に入れることができる。
【００１１】
ロープを引くと下部枠体の取付具の連結が解除され、更にロープを引くと玉網を反転させながら環状取付具を端部に寄せて網本体の下部を巾着状に閉じ、魚を玉網の内部に閉じ込めることができる。そして筒状玉網を引き上げることにより、水中から魚を確実に掬い上げることができる。
【発明を実施するための最良の形態】
【００１２】
本発明にかかる筒状玉網の一実施形態について説明する。
【００１３】
図１に玉網２を示す。玉網２は円錐台状の筒体で、側面にチャック５を備えた網本体３と、網本体３の上部に取り付けた上部枠体４と、網本体３の下部に取り付けた下部枠体６と、下部枠体６の一端部に結び付けたロープ８などから構成されている。
【００１４】
網本体３は通常の網で、図２に示すように台形状に形成してあり、上端には上部枠体４が一体に取り付けてある。網本体３の左右端縁には線状結合手段であるチャック５がそれぞれほぼ長さ全体にわたり取り付けてあり、チャック５を閉じて左右端縁相互を結合すると円錐台状に成形される。網本体３の下部には環状取付具である丸環１２が適度な間隔で複数取り付けられている。
【００１５】
上部枠体４は適度な弾性と浮力を備えた棒状部材で、両端に取付具１０を有し、弾性に抗して上部枠体４を曲げ取付具１０を相互に連結すると円環状に形成される。円環状に形成された上部枠体４の内側は、釣糸や浮きなどを通し易く断面円形に形成してあり、かつ掬い上げる魚は通り抜けられない内径となっている。
【００１６】
下部枠体６は適度な弾性を備えた棒状部材で、丸環１２の内側を移動自在に通して網本体３の下部に取り付けてあり、両端には丸環１２が抜け落ちるのを防止する抜止具１３と解除機能を備えた取付具１６とが設けられている。取付具１６は、弾性に抗して下部枠体６を曲げ取付具１６相互を連結すると下部枠体６を円環状に形成し、また一方の端部に連結させてあるロープ８を引くと連結が解除され、下部枠体６を弾性力によりほぼ直線上に復元させる。更に下部枠体６は、丸環１２の重さを含めて玉網２を水中を沈下させる自重を有している。下部枠体６も上部枠体４と同様に釣糸や浮きなどを通し易く形成してある。
【００１７】
上部枠体４には保持具２０が設けてあり、保持具２０はロープ８を適度な保持力で保持し、所定以上の力が加えられるとロープ８の保持を解除する。
【００１８】
次に、玉網２の使用方法について説明する。
【００１９】
船釣などにおいて魚の当たりを待っているときは、取付具１０及び取付具１６の相互の連結は外し、チャック５は開き、玉網２を図２に示すように展開させておく。
【００２０】
玉網２を必要とする魚Ｆがかかると、直ちに、あるいはある程度水面近くまで魚を引き上げた後に釣り竿３０（図８参照）を横に倒し、玉網２を釣糸３２の周囲に巻き付けるようにして取付具１０及び取付具１６を組み付け、チャック５を閉じて円筒状に形成する。ロープ８を保持具２０に保持させ、ロープ８を繰り出しながら玉網２を釣糸３２に沿って図８の二点鎖線で示すように落下させる。
【００２１】
玉網２は、下部枠体６などが錘となって水中を落下していく。上部枠体４が浮力を有し、またロープ８が保持具２０に保持されているので、玉網２は上部枠体４を上にして水中で筒状を保持して沈降する。玉網２が魚Ｆの位置までくると、下部枠体６が環状に広がっているので図３に示すように魚Ｆは玉網２の沈降と釣糸３２の巻上げにより玉網２の内部に引き込まれる。
【００２２】
魚Ｆが玉網２内に入ったことがロープ８の繰り出しが停止したことなどにより判断できると、ロープ８を手前に引く。ロープ８を引くと、図４に示すように保持具２０からロープ８が外され下部枠体６が引き上げられる。そして更に図５に示すように取付具１６の連結が解除され、下部枠体６が直線状になるとともに図６に示すように玉網２は上下反転しながら、丸環１２が下部枠体６の一方の端に寄り網本体３が巾着状態となり魚Ｆが玉網２の中に捕らえられる。
【００２３】
更にロープ８を引き上げると図７に示すように玉網２は完全に反転して袋状になって魚Ｆを入れた状態で引き上げられる。釣糸３２は、ロープ８の引き上げより早くならないように追従させながら巻き取る。
【００２４】
このように玉網２は釣糸３２に取り付けが容易で、しかも上部枠体４が浮力により常に下部枠体６より上方にあり、また下部枠体６が環状に形成されているので、水中で玉網２は筒状形状を保持し、魚Ｆが暴れた場合でも玉網２内に引き入れ易く、容易に魚を玉網２内に捕獲し動きを止めることができる。魚Ｆが入った後はロープ８を引いて下部枠体６で玉網２を袋状にできるので、釣糸３２で無理に魚Ｆを引き寄せて釣針から魚Ｆが外れたり、釣糸３２を切断させることなく釣針にかかった魚Ｆを確実に水中から掬い上げることができる。
【００２５】
掬い上げた魚Ｆは、下部枠体６に沿って丸環１２を移動させて網本体３の下部を開くことにより玉網２から容易に取り出すことができる。
【００２６】
尚玉網２は、図９に示すように陸上からの投げ釣りにも利用できる。また釣り竿３０を立てて釣糸３２を手前に引き寄せ、釣糸３２に玉網２を取り付けるようにしてもよい。更に、釣り竿３０に玉網２を取り付け、釣り竿３０の先端から釣糸３２に移動させて魚Ｆを掬い上げるようにしてもよい。
【００２７】
また、魚Ｆに応じて使用できるよう、大きさの異なる玉網を予め用意してもよい。
【図面の簡単な説明】
【００２８】
【図１】本発明にかかる玉網の一実施形態を示す図である。
【図２】本発明にかかる玉網の一実施形態を示す展開図である。
【図３】玉網の作用の一例を示す図である。
【図４】玉網の作用の一例を示す図である。
【図５】玉網の作用の一例を示す図である。
【図６】玉網の作用の一例を示す図である。
【図７】玉網の作用の一例を示す図である。
【図８】玉網の一使用例を示す図である。
【図９】玉網の他の使用例を示す図である。
【符号の説明】
【００２９】
２    玉網
３    網本体
４    上部枠体
５    チャック
６    下部枠体
８    ロープ
１０  取付具
１２  丸環
１３  抜止具
１６  取付具
２０  保持具
３０  釣り竿
３２  釣糸
Ｆ    魚
【図１】
2006025739.tif 000003
【図２】
2006025739.tif 000004
【図３】
2006025739.tif 000005
【図４】
2006025739.tif 000006
【図５】
2006025739.tif 000007
【図６】
2006025739.tif 000008
【図７】
2006025739.tif 000009
【図８】
2006025739.tif 000010
【図９】
2006025739.tif 000011